(57)【要約】【課題】デジタルカメラと出力装置（プリンタ、表示装置等）が無線接続される画像出力システムにおいて、通信環境の安定化を図る。【解決手段】画像のデータを保持するデジタルカメラ１００と、デジタルカメラ１００に保持された画像をプリント出力するプリンタ２００とを備えて構成される画像出力システム１において、デジタルカメラ１００とプリンタ２００は、無線により接続され、プリンタ２００は、デジタルカメラ１００を回転可能に支持するカメラ支持部２１０を備え、そのカメラ支持部に支持されたデジタルカメラから発信される無線信号の強度を測定し、その測定結果に基づいて、カメラ支持部２１０に支持されたデジタルカメラ１００の向きを制御する。【選択図】            図１
2004282189.tif 000002
【特許請求の範囲】
【請求項１】
画像のデータを保持するデジタルカメラと、前記画像をプリント出力するプリンタとを備えて構成される画像出力システムにおいて、
前記デジタルカメラと前記プリンタは、無線により接続され、
前記プリンタは、
前記デジタルカメラを回転可能に支持するカメラ支持部と、
前記カメラ支持部に支持されたデジタルカメラから発信される無線信号の強度を測定する測定部と、
前記測定部により測定結果に基づいて、前記カメラ支持部に支持されたデジタルカメラの向きを制御するカメラ制御部と、
を備えることを特徴とする画像出力システム。
【請求項２】
前記プリンタは、前記無線信号の強度が、予め設定された値より大きいか否かを判定する判定部を備え、
前記判定部により、前記無線信号の強度が設定値より小さいと判定された場合に、前記カメラ制御部は、前記デジタルカメラの向きを制御することを特徴とする請求項１に記載の画像出力システム。
【請求項３】
前記デジタルカメラは、前記プリンタに画像信号を送信する送信部を備え、
前記プリンタは、前記判定部により、前記無線信号の強度が前記設定値より大きいと判定された場合に、前記デジタルカメラから送信された画像信号を受け付ける通信部を備えることを特徴とする請求項２に記載の画像出力システム。
【請求項４】
画像のデータを保持するデジタルカメラと、前記画像をプリント出力するプリンタとを備えて構成される画像出力システムにおいて、
前記デジタルカメラと前記プリンタは、無線により接続され、
前記プリンタは、
前記デジタルカメラから発信される無線信号を受信するアンテナと、
前記アンテナにより受信された無線信号の強度を測定する測定部と、
前記測定部による測定結果に基づいて、前記アンテナの向きを制御するアンテナ制御部と、
を備えることを特徴とする画像出力システム。
【請求項５】
前記プリンタは、前記無線信号の強度が、予め設定された値より大きいか否かを判定する判定部を備え、
前記判定部により、前記無線信号の強度が設定値より小さいと判定された場合に、前記アンテナ制御部は、前記アンテナの向きを制御することを特徴とする請求項４に記載の画像出力システム。
【請求項６】
前記デジタルカメラは、前記プリンタに画像信号を送信する送信部を備え、
前記プリンタは、前記判定部により、前記無線信号の強度が前記設定値より大きいと判定された場合に、前記デジタルカメラから送信された画像信号を受け付ける通信部を備えることを特徴とする請求項５に記載の画像出力システム。
【請求項７】
画像のデータを保持するデジタルカメラと、前記画像をプリント出力するプリンタとを備えて構成される画像出力システムにおいて、
前記デジタルカメラと前記プリンタは、無線により接続され、
前記デジタルカメラは、
無線信号を発信するアンテナと、
前記プリンタとの間の無線信号の強度を測定するカメラ測定部と、
前記カメラ測定部による測定結果に基づいて、前記アンテナの向きを制御するアンテナ制御部と、
を備えることを特徴とする画像出力システム。
【請求項８】
前記デジタルカメラは、前記無線信号の強度が、予め設定された値より大きいか否かを判定するカメラ判定部を備え、
前記カメラ判定部により、前記無線信号の強度が設定値より小さいと判定された場合に、前記アンテナ制御部は、前記アンテナの向きを制御することを特徴とする請求項７に記載の画像出力システム。
【請求項９】
前記デジタルカメラは、前記カメラ判定部により、前記無線信号の強度が前記設定値より大きいと判定された場合、前記プリンタに対して、前記保持された画像の信号を送信する送信部を備えることを特徴とする請求項８に記載の画像出力システム。
【請求項１０】
前記デジタルカメラは、前記カメラ判定部により、前記無線信号の強度が前記設定値より大きいと判定された場合、その判定結果を報知する報知部を備えることを特徴とする請求項８又は９に記載の画像出力システム。
【請求項１１】
前記プリンタは、前記無線信号の強度に関する情報を表示するプリンタ表示部を備えることを特徴とする請求項１〜１０の何れか一項に記載の画像出力システム。
【請求項１２】
前記プリンタ表示部は、前記無線信号を受信するアンテナの指向特性に関する情報を更に表示することを特徴とする請求項１１に記載の画像出力システム。
【請求項１３】
前記プリンタ表示部は、前記無線信号の強度の空間分布に関する情報を表示することを特徴とする請求項１１又は１２に記載の画像出力システム。
【請求項１４】
前記プリンタ表示部は、前記無線信号の強度の空間分布上に、前記デジタルカメラの位置又は向きに関する情報を更に表示することを特徴とする請求項１３に記載の画像出力システム。
【請求項１５】
前記プリンタ表示部は、前記無線信号の受信可能領域に関する情報を更に表示することを特徴とする請求項１１〜１４の何れか一項に記載の画像出力システム。
【請求項１６】
前記デジタルカメラは、前記無線信号の強度に関する情報を表示するカメラ表示部を備えることを特徴とする請求項１〜１０の何れか一項に記載の画像出力システム。
【請求項１７】
前記カメラ表示部は、前記無線信号を発信するアンテナの指向特性に関する情報を更に表示することを特徴とする請求項１６に記載の画像出力システム。
【請求項１８】
前記カメラ表示部は、前記無線信号の強度の空間分布に関する情報を表示することを特徴とする請求項１６又は１７に記載の画像出力システム。
【請求項１９】
前記カメラ表示部は、前記無線信号の強度の空間分布上に、デジタルカメラと前記プリンタとの位置関係に関する情報を更に表示することを特徴とする請求項１８に記載の画像出力システム。
【請求項２０】
前記プリンタは、受信された無線信号を増幅するプリンタ増幅部を備えることを特徴とする請求項１〜１９の何れか一項に記載の画像出力システム。
【請求項２１】
前記デジタルカメラは、発信する無線信号を増幅するカメラ増幅部を備えることを特徴とする請求項１〜１９の何れか一項に記載の画像出力システム。
【請求項２２】
画像のデータを保持するデジタルカメラと、前記画像を表示する表示装置を備えて構成される画像出力システムにおいて、
前記デジタルカメラと前記表示装置は、無線により接続され、
前記表示装置は、
前記デジタルカメラを回転可能に支持するカメラ支持部と、
前記カメラ支持部に支持されたデジタルカメラから発信される無線信号の強度を測定する測定部と、
前記測定部により測定結果に基づいて、前記カメラ支持部に支持されたデジタルカメラの向きを制御するカメラ制御部と、
を備えることを特徴とする画像出力システム。
【請求項２３】
前記表示装置は、前記無線信号の強度が、予め設定された値より大きいか否かを判定する判定部を備え、
前記判定部により、前記無線信号の強度が設定値より小さいと判定された場合に、前記カメラ制御部は、前記デジタルカメラの向きを制御することを特徴とする請求項２２に記載の画像出力システム。
【請求項２４】
画像のデータを保持するデジタルカメラと、前記画像を表示する表示装置とを備えて構成される画像出力システムにおいて、
前記デジタルカメラと前記表示装置は、無線により接続され、
前記表示装置は、
前記デジタルカメラから発信される無線信号を受信するアンテナと、
前記アンテナにより受信された無線信号の強度を測定する測定部と、
前記測定部による測定結果に基づいて、前記アンテナの向きを制御するアンテナ制御部と、
を備えることを特徴とする画像出力システム。
【請求項２５】
前記表示装置は、前記無線信号の強度が、予め設定された値より大きいか否かを判定する判定部を備え、
前記判定部により、前記無線信号の強度が設定値より小さいと判定された場合に、前記アンテナ制御部は、前記アンテナの向きを制御することを特徴とする請求項２４に記載の画像出力システム。
【請求項２６】
画像のデータを保持するデジタルカメラと、前記画像を表示する表示装置とを備えて構成される画像出力システムにおいて、
前記デジタルカメラと前記表示装置は、無線により接続され、
前記デジタルカメラは、
無線信号を発信するアンテナと、
前記表示装置との間の無線信号の強度を測定するカメラ測定部と、
前記カメラ測定部による測定結果に基づいて、前記アンテナの向きを制御するアンテナ制御部と、
を備えることを特徴とする画像出力システム。
【請求項２７】
前記デジタルカメラは、前記無線信号の強度が、予め設定された値より大きいか否かを判定するカメラ判定部を備え、
前記カメラ判定部により、前記無線信号の強度が設定値より小さいと判定された場合に、前記アンテナ制御部は、前記アンテナの向きを制御することを特徴とする請求項２６に記載の画像出力システム。
【請求項２８】
前記デジタルカメラは、前記カメラ判定部により、前記無線信号の強度が前記設定値より大きいと判定された場合、その判定結果を報知する報知部を備えることを特徴とする請求項２６又は２７に記載の画像出力システム。
【請求項２９】
前記表示装置は、前記無線信号の強度に関する情報を表示することを特徴とする請求項２２〜２８の何れか一項に記載の画像出力システム。
【請求項３０】
前記表示装置は、前記無線信号を受信するアンテナの指向特性に関する情報を更に表示することを特徴とする請求項２９に記載の画像出力システム。
【請求項３１】
前記表示装置は、前記無線信号の強度の空間分布に関する情報を表示することを特徴とする請求項２９又は３０に記載の画像出力システム。
【請求項３２】
前記表示装置は、前記無線信号の強度の空間分布上に、前記デジタルカメラの位置又は向きに関する情報を更に表示することを特徴とする請求項３１に記載の画像出力システム。
【請求項３３】
前記表示装置は、前記無線信号の受信可能領域に関する情報を更に表示することを特徴とする請求項２９〜３２の何れか一項に記載の画像出力システム。
【請求項３４】
前記表示装置は、受信された無線信号を増幅する表示装置増幅部を備えることを特徴とする請求項２２〜３３の何れか一項に記載の画像出力システム。
【請求項３５】
前記デジタルカメラは、発信する無線信号を増幅するカメラ増幅部を備えることを特徴とする請求項２２〜３３の何れか一項に記載の画像出力システム。
【請求項３６】
デジタルカメラに保持された画像をプリント出力するプリンタにおいて、
前記デジタルカメラに、無線により接続され、
前記デジタルカメラを回転可能に支持するカメラ支持部と、
前記カメラ支持部に支持されたデジタルカメラから発信される無線信号の強度を測定する測定部と、
前記測定部により測定結果に基づいて、前記カメラ支持部に支持されたデジタルカメラの向きを制御するカメラ制御部と、
を備えることを特徴とするプリンタ。
【請求項３７】
前記無線信号の強度が、予め設定された値より大きいか否かを判定する判定部を備え、
前記判定部により、前記無線信号の強度が設定値より小さいと判定された場合に、前記カメラ制御部は、前記デジタルカメラの向きを制御することを特徴とする請求項３６に記載のプリンタ。
【請求項３８】
前記判定部により、前記無線信号の強度が前記設定値より大きいと判定された場合に、前記デジタルカメラから送信される画像信号を受け付ける通信部を備えることを特徴とする請求項３７に記載のプリンタ。
【請求項３９】
デジタルカメラに保持された画像をプリント出力するプリンタにおいて、
前記デジタルカメラに、無線により接続され、
前記デジタルカメラから発信される無線信号を受信するアンテナと、
前記アンテナにより受信された無線信号の強度を測定する測定部と、
前記測定部による測定結果に基づいて、前記アンテナの向きを制御するアンテナ制御部と、
を備えることを特徴とするプリンタ。
【請求項４０】
前記無線信号の強度が、予め設定された値より大きいか否かを判定する判定部を備え、
前記判定部により、前記無線信号の強度が設定値より小さいと判定された場合に、前記アンテナ制御部は、前記アンテナの向きを制御することを特徴とする請求項３９に記載のプリンタ。
【請求項４１】
前記判定部により、前記無線信号の強度が前記設定値より大きいと判定された場合に、前記デジタルカメラから送信される画像信号を受け付ける通信部を備えることを特徴とする請求項４０に記載のプリンタ。
【請求項４２】
前記無線信号の強度に関する情報を表示するプリンタ表示部を備えることを特徴とする請求項３６〜４１の何れか一項に記載のプリンタ。
【請求項４３】
前記プリンタ表示部は、前記無線信号を受信するアンテナの指向特性に関する情報を更に表示することを特徴とする請求項４２に記載のプリンタ。
【請求項４４】
前記プリンタ表示部は、前記無線信号の強度の空間分布に関する情報を表示することを特徴とする請求項４２又は４３に記載のプリンタ。
【請求項４５】
前記プリンタ表示部は、前記無線信号の強度の空間分布上に、前記デジタルカメラの位置又は向きに関する情報を更に表示することを特徴とする請求項４４に記載のプリンタ。
【請求項４６】
前記プリンタ表示部は、前記無線信号の受信可能領域に関する情報を更に表示することを特徴とする請求項４２〜４５の何れか一項に記載のプリンタ。
【請求項４７】
前記デジタルカメラから受信した無線信号を増幅するプリンタ増幅部を備えることを特徴とする請求項３６〜４６の何れか一項に記載のプリンタ。
【請求項４８】
プリンタに無線接続されるデジタルカメラにおいて、
無線信号を発信するアンテナと、
前記プリンタとの間の無線信号の強度を測定するカメラ測定部と、
前記カメラ測定部による測定結果に基づいて、前記アンテナの向きを制御するアンテナ制御部と、
を備えることを特徴とするデジタルカメラ。
【請求項４９】
前記無線信号の強度が、予め設定された値より大きいか否かを判定するカメラ判定部を備え、
前記カメラ判定部により、前記無線信号の強度が設定値より小さいと判定された場合に、前記アンテナ制御部は、前記アンテナの向きを制御することを特徴とする請求項４８に記載のデジタルカメラ。
【請求項５０】
前記カメラ判定部により、前記無線信号の強度が前記設定値より大きいと判定された場合、前記プリンタに対して、画像信号を送信する送信部を備えることを特徴とする請求項４９に記載のデジタルカメラ。
【請求項５１】
前記カメラ判定部により、前記無線信号の強度が前記設定値より大きいと判定された場合、その判定結果を報知する報知部を備えることを特徴とする請求項４９又は５０に記載のデジタルカメラ。
【請求項５２】
前記無線信号の強度に関する情報を表示するカメラ表示部を備えることを特徴とする請求項４８〜５１の何れか一項に記載のデジタルカメラ。
【請求項５３】
前記カメラ表示部は、前記無線信号を発信するアンテナの指向特性に関する情報を更に表示することを特徴とする請求項５２に記載のデジタルカメラ。
【請求項５４】
前記カメラ表示部は、前記無線信号の強度の空間分布に関する情報を表示することを特徴とする請求項５２又は５３に記載のデジタルカメラ。
【請求項５５】
前記カメラ表示部は、前記無線信号の強度の空間分布上に、デジタルカメラと前記プリンタとの位置関係に関する情報を更に表示することを特徴とする請求項５４に記載のデジタルカメラ。
【請求項５６】
デジタルカメラが発信する無線信号を増幅するカメラ増幅部を備えることを特徴とする請求項４８〜５５の何れか一項に記載のデジタルカメラ。
【請求項５７】
デジタルカメラに保持された画像を表示する表示装置において、
前記デジタルカメラに、無線により接続され、
前記デジタルカメラを回転可能に支持するカメラ支持部と、
前記カメラ支持部に支持されたデジタルカメラから発信される無線信号の強度を測定する測定部と、
前記測定部により測定結果に基づいて、前記カメラ支持部に支持されたデジタルカメラの向きを制御するカメラ制御部と、
を備えることを特徴とする表示装置。
【請求項５８】
前記無線信号の強度が、予め設定された値より大きいか否かを判定する判定部を備え、
前記判定部により、前記無線信号の強度が設定値より小さいと判定された場合に、前記カメラ制御部は、前記デジタルカメラの向きを制御することを特徴とする請求項５７に記載の表示装置。
【請求項５９】
デジタルカメラに保持された画像を表示する表示装置において、
前記デジタルカメラに、無線により接続され、
前記デジタルカメラから発信される無線信号を受信するアンテナと、
前記アンテナにより受信された無線信号の強度を測定する測定部と、
前記測定部による測定結果に基づいて、前記アンテナの向きを制御するアンテナ制御部と、
を備えることを特徴とする表示装置。
【請求項６０】
前記無線信号の強度が、予め設定された値より大きいか否かを判定する判定部を備え、
前記判定部により、前記無線信号の強度が設定値より小さいと判定された場合に、前記アンテナ制御部は、前記アンテナの向きを制御することを特徴とする請求項５９に記載の表示装置。
【請求項６１】
前記無線信号の強度に関する情報を表示することを特徴とする請求項５７〜６０の何れか一項に記載の表示装置。
【請求項６２】
前記無線信号を受信するアンテナの指向特性に関する情報を更に表示することを特徴とする請求項６１に記載の表示装置。
【請求項６３】
前記無線信号の強度の空間分布に関する情報を表示することを特徴とする請求項６１又は６２に記載の表示装置。
【請求項６４】
前記無線信号の強度の空間分布上に、前記デジタルカメラの位置又は向きに関する情報を更に表示することを特徴とする請求項６３に記載の表示装置。
【請求項６５】
前記無線信号の受信可能領域に関する情報を更に表示することを特徴とする請求項６１〜６４の何れか一項に記載の表示装置。
【請求項６６】
前記デジタルカメラから受信した無線信号を増幅する表示装置増幅部を備えることを特徴とする請求項５７〜６５の何れか一項に記載の表示装置。
【請求項６７】
デジタルカメラに保持された画像をプリンタでプリント出力する画像出力方法において、
前記デジタルカメラと前記プリンタは、無線により接続され、
前記プリンタは、前記デジタルカメラを回転可能に支持し、
前記支持されたデジタルカメラから発信される無線信号の強度を測定する測定工程と、
前記測定工程における測定結果に基づいて、前記支持されたデジタルカメラの向きを制御するカメラ制御工程と、
を含むことを特徴とする画像出力方法。
【請求項６８】
前記無線信号の強度が、予め設定された値より大きいか否かを判定する判定工程を含み、
前記判定工程において、前記無線信号の強度が設定値より小さいと判定された場合に、前記カメラ制御工程において、前記支持されたデジタルカメラの向きが制御されることを特徴とする請求項６７に記載の画像出力方法。
【請求項６９】
前記判定工程において、前記無線信号の強度が前記設定値より大きいと判定された場合に、前記デジタルカメラから送信される画像信号を受け付ける通信工程を含むことを特徴とする請求項６８に記載の画像出力方法。
【請求項７０】
デジタルカメラに保持された画像をプリンタでプリント出力する画像出力方法において、
前記デジタルカメラと前記プリンタは、無線により接続され、
前記デジタルカメラから発信される無線信号をアンテナで受信する受信工程と、
前記アンテナにより受信された無線信号の強度を測定する測定工程と、
前記測定工程における測定結果に基づいて、前記アンテナの向きを制御するアンテナ制御工程と、
を含むことを特徴とする画像出力方法。
【請求項７１】
前記無線信号の強度が、予め設定された値より大きいか否かを判定する判定工程を含み、
前記判定工程において、前記無線信号の強度が設定値より小さいと判定された場合に、前記アンテナ制御工程において、前記アンテナの向きが制御されることを特徴とする請求項７０に記載の画像出力方法。
【請求項７２】
前記判定工程において、前記無線信号の強度が前記設定値より大きいと判定された場合に、前記デジタルカメラから送信される画像信号を受け付ける通信工程を含むことを特徴とする請求項７１に記載の画像出力方法。
【請求項７３】
デジタルカメラに保持された画像をプリンタでプリント出力する画像出力方法において、
前記デジタルカメラと前記プリンタは、無線により接続され、
前記デジタルカメラのアンテナにより無線信号を発信する発信工程と、
前記デジタルカメラと前記プリンタとの間の無線信号の強度を測定するカメラ測定工程と、
前記カメラ測定工程における測定結果に基づいて、前記デジタルカメラのアンテナの向きを制御するアンテナ制御工程と、
を含むことを特徴とする画像出力方法。
【請求項７４】
前記無線信号の強度が、予め設定された値より大きいか否かを判定するカメラ判定工程を含み、
前記カメラ判定工程において、前記無線信号の強度が設定値より小さいと判定された場合に、前記アンテナ制御工程において、前記アンテナの向きが制御されることを特徴とする請求項７３に記載の画像出力方法。
【請求項７５】
前記カメラ判定工程において、前記無線信号の強度が前記設定値より大きいと判定された場合、前記プリンタに対して、前記保持された画像の信号を送信する送信工程を含むことを特徴とする請求項７４に記載の画像出力方法。
【請求項７６】
前記カメラ判定工程において、前記無線信号の強度が前記設定値より大きいと判定された場合、その判定結果を報知する報知工程を含むことを特徴とする請求項７４又は７５に記載の画像出力方法。
【請求項７７】
デジタルカメラに保持された画像を表示装置に出力する画像出力方法において、
前記デジタルカメラと前記表示装置は、無線により接続され、
前記表示装置は、前記デジタルカメラを回転可能に支持し、
前記支持されたデジタルカメラから発信される無線信号の強度を測定する測定工程と、
前記測定工程における測定結果に基づいて、前記支持されたデジタルカメラの向きを制御するカメラ制御工程と、
を含むことを特徴とする画像出力方法。
【請求項７８】
前記無線信号の強度が、予め設定された値より大きいか否かを判定する判定工程を含み、
前記判定工程において、前記無線信号の強度が設定値より小さいと判定された場合に、前記カメラ制御工程において、前記デジタルカメラの向きが制御されることを特徴とする請求項７７に記載の画像出力方法。
【請求項７９】
デジタルカメラに保持された画像を表示装置に出力する画像出力方法において、
前記デジタルカメラと前記表示装置は、無線により接続され、
前記デジタルカメラから発信される無線信号をアンテナにより受信する受信工程と、
前記アンテナにより受信された無線信号の強度を測定する測定工程と、
前記測定工程における測定結果に基づいて、前記アンテナの向きを制御するアンテナ制御工程と、
を含むことを特徴とする画像出力方法。
【請求項８０】
前記無線信号の強度が、予め設定された値より大きいか否かを判定する判定工程を含み、
前記判定工程において、前記無線信号の強度が設定値より小さいと判定された場合に、前記アンテナ制御工程において、前記アンテナの向きが制御されることを特徴とする請求項７９に記載の画像出力方法。
【請求項８１】
デジタルカメラに保持された画像を表示装置に出力する画像出力方法において、
前記デジタルカメラと前記表示装置は、無線により接続され、
デジタルカメラのアンテナにより無線信号を発信する発信工程と、
前記デジタルカメラと前記表示装置との間の無線信号の強度を測定するカメラ測定工程と、
前記カメラ測定工程における測定結果に基づいて、前記デジタルカメラのアンテナの向きを制御するアンテナ制御工程と、
を含むことを特徴とする画像出力方法。
【請求項８２】
前記無線信号の強度が、予め設定された値より大きいか否かを判定するカメラ判定工程を含み、
前記カメラ判定工程において、前記無線信号の強度が設定値より小さいと判定された場合に、前記アンテナ制御工程において、前記アンテナの向きが制御されることを特徴とする請求項８１に記載の画像出力方法。
【請求項８３】
前記カメラ判定工程において、前記無線信号の強度が前記設定値より大きいと判定された場合、その判定結果を報知する報知工程を含むことを特徴とする請求項８１又は８２に記載の画像出力方法。
【発明の詳細な説明】
【０００１】
【発明の属する技術分野】
本発明は、画像出力システム、プリンタ、デジタルカメラ、表示装置及び画像出力方法に関する。
【０００２】
【従来の技術】
近年、デジタルカメラ等の撮影装置は、高機能化、低価格化が進み、急速に普及している。デジタルカメラは、撮影画像をデジタルデータとして得ることができるため、撮影画像をデジタルカメラの表示モニタに表示したり、メモリカード等の記録媒体に保存したりすることができる。また、デジタルカメラとＰＣ（Ｐｅｒｓｏｎａｌ  Ｃｏｍｐｕｔｅｒ）を接続し、デジタルカメラで撮影された画像をＰＣに送信し、ＰＣにおいて、撮影画像に対するデータ処理を行うことが可能になっている。最近では、デジタルカメラとプリンタを無線により接続することによって、デジタルカメラにより撮影された画像を、ＰＣを介することなくプリンタで出力可能な画像出力システムが実現されつつある（例えば、特許文献１参照。）。
【０００３】
【特許文献１】
特開平１１−２７５５０１号公報
【０００４】
【発明が解決しようとする課題】
しかしながら、上述のような、デジタルカメラとプリンタが無線により接続された画像出力システムでは、デジタルカメラとプリンタのアンテナの指向特性が考慮されずに通信が行われていたため、デジタルカメラのアンテナ指向特性とプリンタのアンテナ指向特性が合致しない場合、アンテナ利得が低下し、無線通信に必要な電界強度を確保することができず、通信回線が不安定になるという問題があった。特に、無線通信では、種々のノイズの影響を受けやすいため、通信回線が不安定になりやすかった。
【０００５】
本発明の課題は、デジタルカメラと出力装置（プリンタ、表示装置等）が無線接続される画像出力システムにおいて、通信環境の安定化を図ることである。
【０００６】
【課題を解決するための手段】
上記課題を解決するため、請求項１記載の発明は、画像のデータを保持するデジタルカメラと、前記画像をプリント出力するプリンタとを備えて構成される画像出力システムにおいて、前記デジタルカメラと前記プリンタは、無線により接続され、前記プリンタは、前記デジタルカメラを回転可能に支持するカメラ支持部と、前記カメラ支持部に支持されたデジタルカメラから発信される無線信号の強度を測定する測定部と、前記測定部により測定結果に基づいて、前記カメラ支持部に支持されたデジタルカメラの向きを制御するカメラ制御部と、を備えることを特徴としている。
【０００７】
請求項２に記載の発明は、請求項１に記載の画像出力システムにおいて、前記プリンタは、前記無線信号の強度が、予め設定された値より大きいか否かを判定する判定部を備え、前記判定部により、前記無線信号の強度が設定値より小さいと判定された場合に、前記カメラ制御部は、前記デジタルカメラの向きを制御することを特徴としている。
【０００８】
請求項３に記載の発明は、請求項２に記載の画像出力システムにおいて、前記デジタルカメラは、前記プリンタに画像信号を送信する送信部を備え、前記プリンタは、前記判定部により、前記無線信号の強度が前記設定値より大きいと判定された場合に、前記デジタルカメラから送信された画像信号を受け付ける通信部を備えることを特徴としている。
【０００９】
請求項４に記載の発明は、画像のデータを保持するデジタルカメラと、前記画像をプリント出力するプリンタとを備えて構成される画像出力システムにおいて、前記デジタルカメラと前記プリンタは、無線により接続され、前記プリンタは、前記デジタルカメラから発信される無線信号を受信するアンテナと、前記アンテナにより受信された無線信号の強度を測定する測定部と、前記測定部による測定結果に基づいて、前記アンテナの向きを制御するアンテナ制御部と、を備えることを特徴としている。
【００１０】
請求項５に記載の発明は、請求項４に記載の画像出力システムにおいて、前記プリンタは、前記無線信号の強度が、予め設定された値より大きいか否かを判定する判定部を備え、前記判定部により、前記無線信号の強度が設定値より小さいと判定された場合に、前記アンテナ制御部は、前記アンテナの向きを制御することを特徴としている。
【００１１】
請求項６に記載の発明は、請求項５に記載の画像出力システムにおいて、前記デジタルカメラは、前記プリンタに画像信号を送信する送信部を備え、前記プリンタは、前記判定部により、前記無線信号の強度が前記設定値より大きいと判定された場合に、前記デジタルカメラから送信された画像信号を受け付ける通信部を備えることを特徴としている。
【００１２】
請求項７に記載の発明は、画像のデータを保持するデジタルカメラと、前記画像をプリント出力するプリンタとを備えて構成される画像出力システムにおいて、前記デジタルカメラと前記プリンタは、無線により接続され、前記デジタルカメラは、無線信号を発信するアンテナと、前記プリンタとの間の無線信号の強度を測定するカメラ測定部と、前記カメラ測定部による測定結果に基づいて、前記アンテナの向きを制御するアンテナ制御部と、を備えることを特徴としている。
【００１３】
請求項８に記載の発明は、請求項７に記載の画像出力システムにおいて、前記デジタルカメラは、前記無線信号の強度が、予め設定された値より大きいか否かを判定するカメラ判定部を備え、前記カメラ判定部により、前記無線信号の強度が設定値より小さいと判定された場合に、前記アンテナ制御部は、前記アンテナの向きを制御することを特徴としている。
【００１４】
請求項９に記載の発明は、請求項８に記載の画像出力システムにおいて、前記デジタルカメラは、前記カメラ判定部により、前記無線信号の強度が前記設定値より大きいと判定された場合、前記プリンタに対して、前記保持された画像の信号を送信する送信部を備えることを特徴としている。
【００１５】
請求項１０に記載の発明は、請求項８又は９に記載の画像出力システムにおいて、前記デジタルカメラは、前記カメラ判定部により、前記無線信号の強度が前記設定値より大きいと判定された場合、その判定結果を報知する報知部を備えることを特徴としている。
【００１６】
請求項１１に記載の発明は、請求項１〜１０の何れか一項に記載の画像出力システムにおいて、前記プリンタは、前記無線信号の強度に関する情報を表示するプリンタ表示部を備えることを特徴としている。
【００１７】
請求項１２に記載の発明は、請求項１１に記載の画像出力システムにおいて、前記プリンタ表示部は、前記無線信号を受信するアンテナの指向特性に関する情報を更に表示することを特徴としている。
【００１８】
請求項１３に記載の発明は、請求項１１又は１２に記載の画像出力システムにおいて、前記プリンタ表示部は、前記無線信号の強度の空間分布に関する情報を表示することを特徴としている。
【００１９】
請求項１４に記載の発明は、請求項１３に記載の画像出力システムにおいて、前記プリンタ表示部は、前記無線信号の強度の空間分布上に、前記デジタルカメラの位置又は向きに関する情報を更に表示することを特徴としている。
【００２０】
請求項１５に記載の発明は、請求項１１〜１４の何れか一項に記載の画像出力システムにおいて、前記プリンタ表示部は、前記無線信号の受信可能領域に関する情報を更に表示することを特徴としている。
【００２１】
請求項１６に記載の発明は、請求項１〜１０の何れか一項に記載の画像出力システムにおいて、前記デジタルカメラは、前記無線信号の強度に関する情報を表示するカメラ表示部を備えることを特徴としている。
【００２２】
請求項１７に記載の発明は、請求項１６に記載の画像出力システムにおいて、前記カメラ表示部は、前記無線信号を発信するアンテナの指向特性に関する情報を更に表示することを特徴としている。
【００２３】
請求項１８に記載の発明は、請求項１６又は１７に記載の画像出力システムにおいて、前記カメラ表示部は、前記無線信号の強度の空間分布に関する情報を表示することを特徴としている。
【００２４】
請求項１９に記載の発明は、請求項１８に記載の画像出力システムにおいて、前記カメラ表示部は、前記無線信号の強度の空間分布上に、デジタルカメラと前記プリンタとの位置関係に関する情報を更に表示することを特徴としている。
【００２５】
請求項２０に記載の発明は、請求項１〜１９の何れか一項に記載の画像出力システムにおいて、前記プリンタは、受信された無線信号を増幅するプリンタ増幅部を備えることを特徴としている。
【００２６】
請求項２１に記載の発明は、請求項１〜１９の何れか一項に記載の画像出力システムにおいて、前記デジタルカメラは、発信する無線信号を増幅するカメラ増幅部を備えることを特徴としている。
【００２７】
請求項２２に記載の発明は、画像のデータを保持するデジタルカメラと、前記画像を表示する表示装置を備えて構成される画像出力システムにおいて、前記デジタルカメラと前記表示装置は、無線により接続され、前記表示装置は、前記デジタルカメラを回転可能に支持するカメラ支持部と、前記カメラ支持部に支持されたデジタルカメラから発信される無線信号の強度を測定する測定部と、前記測定部により測定結果に基づいて、前記カメラ支持部に支持されたデジタルカメラの向きを制御するカメラ制御部と、を備えることを特徴としている。
【００２８】
請求項２３に記載の発明は、請求項２２に記載の画像出力システムにおいて、前記表示装置は、前記無線信号の強度が、予め設定された値より大きいか否かを判定する判定部を備え、前記判定部により、前記無線信号の強度が設定値より小さいと判定された場合に、前記カメラ制御部は、前記デジタルカメラの向きを制御することを特徴としている。
【００２９】
請求項２４に記載の発明は、画像のデータを保持するデジタルカメラと、前記画像を表示する表示装置とを備えて構成される画像出力システムにおいて、前記デジタルカメラと前記表示装置は、無線により接続され、前記表示装置は、前記デジタルカメラから発信される無線信号を受信するアンテナと、前記アンテナにより受信された無線信号の強度を測定する測定部と、前記測定部による測定結果に基づいて、前記アンテナの向きを制御するアンテナ制御部と、を備えることを特徴としている。
【００３０】
請求項２５に記載の発明は、請求項２４に記載の画像出力システムにおいて、前記表示装置は、前記無線信号の強度が、予め設定された値より大きいか否かを判定する判定部を備え、前記判定部により、前記無線信号の強度が設定値より小さいと判定された場合に、前記アンテナ制御部は、前記アンテナの向きを制御することを特徴としている。
【００３１】
請求項２６に記載の発明は、画像のデータを保持するデジタルカメラと、前記画像を表示する表示装置とを備えて構成される画像出力システムにおいて、前記デジタルカメラと前記表示装置は、無線により接続され、前記デジタルカメラは、無線信号を発信するアンテナと、前記表示装置との間の無線信号の強度を測定するカメラ測定部と、前記カメラ測定部による測定結果に基づいて、前記アンテナの向きを制御するアンテナ制御部と、を備えることを特徴としている。
【００３２】
請求項２７に記載の発明は、請求項２６に記載の画像出力システムにおいて、前記デジタルカメラは、前記無線信号の強度が、予め設定された値より大きいか否かを判定するカメラ判定部を備え、前記カメラ判定部により、前記無線信号の強度が設定値より小さいと判定された場合に、前記アンテナ制御部は、前記アンテナの向きを制御することを特徴としている。
【００３３】
請求項２８に記載の発明は、請求項２６又は２７に記載の画像出力システムにおいて、前記デジタルカメラは、前記カメラ判定部により、前記無線信号の強度が前記設定値より大きいと判定された場合、その判定結果を報知する報知部を備えることを特徴としている。
【００３４】
請求項２９に記載の発明は、請求項２２〜２８の何れか一項に記載の画像出力システムにおいて、前記表示装置は、前記無線信号の強度に関する情報を表示することを特徴としている。
【００３５】
請求項３０に記載の発明は、請求項２９に記載の画像出力システムにおいて、前記表示装置は、前記無線信号を受信するアンテナの指向特性に関する情報を更に表示することを特徴としている。
【００３６】
請求項３１に記載の発明は、請求項２９又は３０に記載の画像出力システムにおいて、前記表示装置は、前記無線信号の強度の空間分布に関する情報を表示することを特徴としている。
【００３７】
請求項３２に記載の発明は、請求項３１に記載の画像出力システムにおいて、前記表示装置は、前記無線信号の強度の空間分布上に、前記デジタルカメラの位置又は向きに関する情報を更に表示することを特徴としている。
【００３８】
請求項３３に記載の発明は、請求項２９〜３２の何れか一項に記載の画像出力システムにおいて、前記表示装置は、前記無線信号の受信可能領域に関する情報を更に表示することを特徴としている。
【００３９】
請求項３４に記載の発明は、請求項２２〜３３の何れか一項に記載の画像出力システムにおいて、前記表示装置は、受信された無線信号を増幅する表示装置増幅部を備えることを特徴としている。
【００４０】
請求項３５に記載の発明は、請求項２２〜３３の何れか一項に記載の画像出力システムにおいて、前記デジタルカメラは、発信する無線信号を増幅するカメラ増幅部を備えることを特徴としている。
【００４１】
請求項３６に記載の発明は、デジタルカメラに保持された画像をプリント出力するプリンタにおいて、前記デジタルカメラに、無線により接続され、前記デジタルカメラを回転可能に支持するカメラ支持部と、前記カメラ支持部に支持されたデジタルカメラから発信される無線信号の強度を測定する測定部と、前記測定部により測定結果に基づいて、前記カメラ支持部に支持されたデジタルカメラの向きを制御するカメラ制御部と、を備えることを特徴としている。
【００４２】
請求項３７に記載の発明は、請求項３６に記載のプリンタにおいて、前記無線信号の強度が、予め設定された値より大きいか否かを判定する判定部を備え、前記判定部により、前記無線信号の強度が設定値より小さいと判定された場合に、前記カメラ制御部は、前記デジタルカメラの向きを制御することを特徴としている。
【００４３】
請求項３８に記載の発明は、請求項３７に記載のプリンタにおいて、前記判定部により、前記無線信号の強度が前記設定値より大きいと判定された場合に、前記デジタルカメラから送信される画像信号を受け付ける通信部を備えることを特徴としている。
【００４４】
請求項３９に記載の発明は、デジタルカメラに保持された画像をプリント出力するプリンタにおいて、前記デジタルカメラに、無線により接続され、前記デジタルカメラから発信される無線信号を受信するアンテナと、前記アンテナにより受信された無線信号の強度を測定する測定部と、前記測定部による測定結果に基づいて、前記アンテナの向きを制御するアンテナ制御部と、を備えることを特徴としている。
【００４５】
請求項４０に記載の発明は、請求項３９に記載のプリンタにおいて、前記無線信号の強度が、予め設定された値より大きいか否かを判定する判定部を備え、前記判定部により、前記無線信号の強度が設定値より小さいと判定された場合に、前記アンテナ制御部は、前記アンテナの向きを制御することを特徴としている。
【００４６】
請求項４１に記載の発明は、請求項４０に記載のプリンタにおいて、前記判定部により、前記無線信号の強度が前記設定値より大きいと判定された場合に、前記デジタルカメラから送信される画像信号を受け付ける通信部を備えることを特徴としている。
【００４７】
請求項４２に記載の発明は、請求項３６〜４１の何れか一項に記載のプリンタにおいて、前記無線信号の強度に関する情報を表示するプリンタ表示部を備えることを特徴としている。
【００４８】
請求項４３に記載の発明は、請求項４２に記載のプリンタにおいて、前記プリンタ表示部は、前記無線信号を受信するアンテナの指向特性に関する情報を更に表示することを特徴としている。
【００４９】
請求項４４に記載の発明は、請求項４２又は４３に記載のプリンタにおいて、前記プリンタ表示部は、前記無線信号の強度の空間分布に関する情報を表示することを特徴としている。
【００５０】
請求項４５に記載の発明は、請求項４４に記載のプリンタにおいて、前記プリンタ表示部は、前記無線信号の強度の空間分布上に、前記デジタルカメラの位置又は向きに関する情報を更に表示することを特徴としている。
【００５１】
請求項４６に記載の発明は、請求項４２〜４５の何れか一項に記載のプリンタにおいて、前記プリンタ表示部は、前記無線信号の受信可能領域に関する情報を更に表示することを特徴としている。
【００５２】
請求項４７に記載の発明は、請求項３６〜４６の何れか一項に記載のプリンタにおいて、前記デジタルカメラから受信した無線信号を増幅するプリンタ増幅部を備えることを特徴としている。
【００５３】
請求項４８に記載の発明は、プリンタに無線接続されるデジタルカメラにおいて、無線信号を発信するアンテナと、前記プリンタとの間の無線信号の強度を測定するカメラ測定部と、前記カメラ測定部による測定結果に基づいて、前記アンテナの向きを制御するアンテナ制御部と、を備えることを特徴としている。
【００５４】
請求項４９に記載の発明は、請求項４８に記載のデジタルカメラにおいて、前記無線信号の強度が、予め設定された値より大きいか否かを判定するカメラ判定部を備え、前記カメラ判定部により、前記無線信号の強度が設定値より小さいと判定された場合に、前記アンテナ制御部は、前記アンテナの向きを制御することを特徴としている。
【００５５】
請求項５０に記載の発明は、請求項４９に記載のデジタルカメラにおいて、前記カメラ判定部により、前記無線信号の強度が前記設定値より大きいと判定された場合、前記プリンタに対して、画像信号を送信する送信部を備えることを特徴としている。
【００５６】
請求項５１に記載の発明は、請求項４９又は５０に記載のデジタルカメラにおいて、前記カメラ判定部により、前記無線信号の強度が前記設定値より大きいと判定された場合、その判定結果を報知する報知部を備えることを特徴としている。
【００５７】
請求項５２に記載の発明は、請求項４８〜５１の何れか一項に記載のデジタルカメラにおいて、前記無線信号の強度に関する情報を表示するカメラ表示部を備えることを特徴としている。
【００５８】
請求項５３に記載の発明は、請求項５２に記載のデジタルカメラにおいて、前記カメラ表示部は、前記無線信号を発信するアンテナの指向特性に関する情報を更に表示することを特徴としている。
【００５９】
請求項５４に記載の発明は、請求項５２又は５３に記載のデジタルカメラにおいて、前記カメラ表示部は、前記無線信号の強度の空間分布に関する情報を表示することを特徴としている。
【００６０】
請求項５５に記載の発明は、請求項５４に記載のデジタルカメラにおいて、前記カメラ表示部は、前記無線信号の強度の空間分布上に、デジタルカメラと前記プリンタとの位置関係に関する情報を更に表示することを特徴としている。
【００６１】
請求項５６に記載の発明は、請求項４８〜５５の何れか一項に記載のデジタルカメラにおいて、デジタルカメラが発信する無線信号を増幅するカメラ増幅部を備えることを特徴としている。
【００６２】
請求項５７に記載の発明は、デジタルカメラに保持された画像を表示する表示装置において、前記デジタルカメラに、無線により接続され、前記デジタルカメラを回転可能に支持するカメラ支持部と、前記カメラ支持部に支持されたデジタルカメラから発信される無線信号の強度を測定する測定部と、前記測定部により測定結果に基づいて、前記カメラ支持部に支持されたデジタルカメラの向きを制御するカメラ制御部と、を備えることを特徴としている。
【００６３】
請求項５８に記載の発明は、請求項５７に記載の表示装置において、前記無線信号の強度が、予め設定された値より大きいか否かを判定する判定部を備え、前記判定部により、前記無線信号の強度が設定値より小さいと判定された場合に、前記カメラ制御部は、前記デジタルカメラの向きを制御することを特徴としている。
【００６４】
請求項５９に記載の発明は、デジタルカメラに保持された画像を表示する表示装置において、前記デジタルカメラに、無線により接続され、前記デジタルカメラから発信される無線信号を受信するアンテナと、前記アンテナにより受信された無線信号の強度を測定する測定部と、前記測定部による測定結果に基づいて、前記アンテナの向きを制御するアンテナ制御部と、を備えることを特徴としている。
【００６５】
請求項６０に記載の発明は、請求項５９に記載の表示装置において、前記無線信号の強度が、予め設定された値より大きいか否かを判定する判定部を備え、前記判定部により、前記無線信号の強度が設定値より小さいと判定された場合に、前記アンテナ制御部は、前記アンテナの向きを制御することを特徴としている。
【００６６】
請求項６１に記載の発明は、請求項５７〜６０の何れか一項に記載の表示装置において、前記無線信号の強度に関する情報を表示することを特徴としている。
【００６７】
請求項６２に記載の発明は、請求項６１に記載の表示装置において、前記無線信号を受信するアンテナの指向特性に関する情報を更に表示することを特徴としている。
【００６８】
請求項６３に記載の発明は、請求項６１又は６２に記載の表示装置において、前記無線信号の強度の空間分布に関する情報を表示することを特徴としている。
【００６９】
請求項６４に記載の発明は、請求項６３に記載の表示装置において、前記無線信号の強度の空間分布上に、前記デジタルカメラの位置又は向きに関する情報を更に表示することを特徴としている。
【００７０】
請求項６５に記載の発明は、請求項６１〜６４の何れか一項に記載の表示装置において、前記無線信号の受信可能領域に関する情報を更に表示することを特徴としている。
【００７１】
請求項６６に記載の発明は、請求項５７〜６５の何れか一項に記載の表示装置において、前記デジタルカメラから受信した無線信号を増幅する表示装置増幅部を備えることを特徴としている。
【００７２】
請求項６７に記載の発明は、デジタルカメラに保持された画像をプリンタでプリント出力する画像出力方法において、前記デジタルカメラと前記プリンタは、無線により接続され、前記プリンタは、前記デジタルカメラを回転可能に支持し、前記支持されたデジタルカメラから発信される無線信号の強度を測定する測定工程と、前記測定工程における測定結果に基づいて、前記支持されたデジタルカメラの向きを制御するカメラ制御工程と、を含むことを特徴としている。
【００７３】
請求項６８に記載の発明は、請求項６７に記載の画像出力方法において、前記無線信号の強度が、予め設定された値より大きいか否かを判定する判定工程を含み、前記判定工程において、前記無線信号の強度が設定値より小さいと判定された場合に、前記カメラ制御工程において、前記支持されたデジタルカメラの向きが制御されることを特徴としている。
【００７４】
請求項６９に記載の発明は、請求項６８に記載の画像出力方法において、前記判定工程において、前記無線信号の強度が前記設定値より大きいと判定された場合に、前記デジタルカメラから送信される画像信号を受け付ける通信工程を含むことを特徴としている。
【００７５】
請求項７０に記載の発明は、デジタルカメラに保持された画像をプリンタでプリント出力する画像出力方法において、前記デジタルカメラと前記プリンタは、無線により接続され、前記デジタルカメラから発信される無線信号をアンテナで受信する受信工程と、前記アンテナにより受信された無線信号の強度を測定する測定工程と、前記測定工程における測定結果に基づいて、前記アンテナの向きを制御するアンテナ制御工程と、を含むことを特徴としている。
【００７６】
請求項７１に記載の発明は、請求項７０に記載の画像出力方法において、前記無線信号の強度が、予め設定された値より大きいか否かを判定する判定工程を含み、前記判定工程において、前記無線信号の強度が設定値より小さいと判定された場合に、前記アンテナ制御工程において、前記アンテナの向きが制御されることを特徴としている。
【００７７】
請求項７２に記載の発明は、請求項７１に記載の画像出力方法において、前記判定工程において、前記無線信号の強度が前記設定値より大きいと判定された場合に、前記デジタルカメラから送信される画像信号を受け付ける通信工程を含むことを特徴としている。
【００７８】
請求項７３に記載の発明は、デジタルカメラに保持された画像をプリンタでプリント出力する画像出力方法において、前記デジタルカメラと前記プリンタは、無線により接続され、前記デジタルカメラのアンテナにより無線信号を発信する発信工程と、前記デジタルカメラと前記プリンタとの間の無線信号の強度を測定するカメラ測定工程と、前記カメラ測定工程における測定結果に基づいて、前記デジタルカメラのアンテナの向きを制御するアンテナ制御工程と、を含むことを特徴としている。
【００７９】
請求項７４に記載の発明は、請求項７３に記載の画像出力方法において、前記無線信号の強度が、予め設定された値より大きいか否かを判定するカメラ判定工程を含み、前記カメラ判定工程において、前記無線信号の強度が設定値より小さいと判定された場合に、前記アンテナ制御工程において、前記アンテナの向きが制御されることを特徴としている。
【００８０】
請求項７５に記載の発明は、請求項７４に記載の画像出力方法において、前記カメラ判定工程において、前記無線信号の強度が前記設定値より大きいと判定された場合、前記プリンタに対して、前記保持された画像の信号を送信する送信工程を含むことを特徴としている。
【００８１】
請求項７６に記載の発明は、請求項７４又は７５に記載の画像出力方法において、前記カメラ判定工程において、前記無線信号の強度が前記設定値より大きいと判定された場合、その判定結果を報知する報知工程を含むことを特徴としている。
【００８２】
請求項７７に記載の発明は、デジタルカメラに保持された画像を表示装置に出力する画像出力方法において、前記デジタルカメラと前記表示装置は、無線により接続され、前記表示装置は、前記デジタルカメラを回転可能に支持し、前記支持されたデジタルカメラから発信される無線信号の強度を測定する測定工程と、前記測定工程における測定結果に基づいて、前記支持されたデジタルカメラの向きを制御するカメラ制御工程と、を含むことを特徴としている。
【００８３】
請求項７８に記載の発明は、請求項７７に記載の画像出力方法において、前記無線信号の強度が、予め設定された値より大きいか否かを判定する判定工程を含み、前記判定工程において、前記無線信号の強度が設定値より小さいと判定された場合に、前記カメラ制御工程において、前記デジタルカメラの向きが制御されることを特徴としている。
【００８４】
請求項７９に記載の発明は、デジタルカメラに保持された画像を表示装置に出力する画像出力方法において、前記デジタルカメラと前記表示装置は、無線により接続され、前記デジタルカメラから発信される無線信号をアンテナにより受信する受信工程と、前記アンテナにより受信された無線信号の強度を測定する測定工程と、前記測定工程における測定結果に基づいて、前記アンテナの向きを制御するアンテナ制御工程と、を含むことを特徴としている。
【００８５】
請求項８０に記載の発明は、請求項７９に記載の画像出力方法において、前記無線信号の強度が、予め設定された値より大きいか否かを判定する判定工程を含み、前記判定工程において、前記無線信号の強度が設定値より小さいと判定された場合に、前記アンテナ制御工程において、前記アンテナの向きが制御されることを特徴としている。
【００８６】
請求項８１に記載の発明は、デジタルカメラに保持された画像を表示装置に出力する画像出力方法において、前記デジタルカメラと前記表示装置は、無線により接続され、デジタルカメラのアンテナにより無線信号を発信する発信工程と、前記デジタルカメラと前記表示装置との間の無線信号の強度を測定するカメラ測定工程と、前記カメラ測定工程における測定結果に基づいて、前記デジタルカメラのアンテナの向きを制御するアンテナ制御工程と、を含むことを特徴としている。
【００８７】
請求項８２に記載の発明は、請求項８１に記載の画像出力方法において、前記無線信号の強度が、予め設定された値より大きいか否かを判定するカメラ判定工程を含み、前記カメラ判定工程において、前記無線信号の強度が設定値より小さいと判定された場合に、前記アンテナ制御工程において、前記アンテナの向きが制御されることを特徴としている。
【００８８】
請求項８３に記載の発明は、請求項８１又は８２に記載の画像出力方法において、前記カメラ判定工程において、前記無線信号の強度が前記設定値より大きいと判定された場合、その判定結果を報知する報知工程を含むことを特徴としている。
【００８９】
本発明によれば、デジタルカメラと出力装置（プリンタ又は表示装置）の間の無線通信の強度に基づいて、出力装置に設置されたデジタルカメラの向きを調整することにより、出力装置の受信感度を向上させることが可能になり、無線通信の安定化を図ることができる。
【００９０】
また、デジタルカメラと出力装置（プリンタ又は表示装置）の間の無線通信の強度に基づいて、出力装置のアンテナの向きを調整することにより、出力装置の受信感度を向上させることが可能になり、無線通信の安定化を図ることができる。
【００９１】
更に、デジタルカメラと出力装置（プリンタ又は表示装置）の間の無線通信の強度に基づいて、デジタルカメラのアンテナの向きを調整することにより、出力装置の受信感度を向上させることが可能になり、無線通信の安定化を図ることができる。
【００９２】
【発明の実施の形態】
以下、図を参照して本発明の実施の形態を詳細に説明する。
〈第１の実施の形態〉
まず、第１の実施の形態における構成を説明する。
【００９３】
図１に、本発明の実施の形態における画像出力システム１の構成を示す。画像出力システム１は、図１に示すように、プリンタ２００とデジタルカメラ１００から構成され、デジタルカメラ１００は、プリンタ２００の上部に設けられたカメラ支持部２１０に載置される。プリンタ２００とデジタルカメラ１００は、無線により接続される。
【００９４】
〈デジタルカメラの構成〉
図２に、デジタルカメラ１００の内部構成を示す。デジタルカメラ１００は、図２に示すように、レンズ１０１、ＣＣＤ１０２、Ａ／Ｄ変換器１０３、プロセッサ１０４、無線通信制御部１０５、アンテナ部１０６、外部記録媒体１０７、メモリ１０８、制御部１０９、表示部１１０、操作部１１１、電源部１１２、有線通信部１１３等を備えて構成される。
【００９５】
ＣＣＤ１０２は、レンズ１０１を介して入射された撮影画像を電気信号（アナログ信号）に光電変換する。Ａ／Ｄ変換器１０３は、ＣＣＤ１０２で得られた電気信号（アナログ信号）をデジタル信号に変換する。
【００９６】
プロセッサ１０４は、Ａ／Ｄ変換器１０３や、無線通信制御部１０５から入力されたデータに対して圧縮処理を施す。また、プロセッサ１０４は、外部記録媒体１０７に記録されているデータに対して伸長処理を施す。
【００９７】
無線通信制御部１０５は、アンテナ部１０６を介して、外部機器との無線による通信を制御する。本発明において適用される無線通信方式としては、例えば、赤外線を利用したＩｒＤＡ（Ｉｎｆｒａｒｅｄ  Ｄａｔａ  Ａｓｓｏｃｉａｔｉｏｎ）方式、Ｂｌｕｅｔｏｏｔｈ方式、非接触で近接して情報を伝達する電磁誘導方式等がある。
【００９８】
外部記録媒体１０７は、フラッシュメモリ等の半導体メモリが着脱可能な構成になっている。
【００９９】
メモリ１０８は、制御部１０９により実行される各種制御プログラムや、当該制御プログラムの実行時に必要なデータを格納する。
【０１００】
制御部１０９は、メモリ１０８に格納された制御プログラムに従って、デジタルカメラ１００の各部を統括的に制御する。
【０１０１】
表示部１１０は、ＬＣＤ（Ｌｉｑｕｉｄ  Ｃｒｙｓｔａｌ  Ｄｉｓｐｌａｙ）やＥＬ（Ｅｌｅｃｔｒｏｌｕｍｉｎｅｓｃｅｎｔ）ディスプレイ、ＬＥＤ（Ｌｉｇｈｔ  Ｅｍｉｔｔｉｎｇ  Ｄｉｏｄｅ）等を備え、制御部１０９から入力される表示制御信号に従って、所要の表示処理を行う。また、表示部１１０は、レンズ１０１を介して入力された撮影画像を連続的に表示するファインダとしての機能も有する。なお、表示部１１０を、デジタルカメラ１００本体の背面だけでなく上面にも備えるようにしてもよい。
【０１０２】
操作部１１１は、主電源ボタン、レリーズボタン、再生ボタン、モード切替ボタン、カーソルボタン等により構成され、ボタンの押下による操作信号を制御部１０９に出力する。
【０１０３】
電源部１１２は、電池等により構成され、デジタルカメラ１００を構成する各部に電力を供給する。
【０１０４】
有線通信部１１３は、外部機器とケーブルを介したデータ通信を行うためのインターフェースを備える。例えば、有線通信部１１３は、ＩＥＥＥ１３９４やＵＳＢ（Ｕｎｉｖｅｒｓａｌ  Ｓｅｒｉａｌ  Ｂｕｓ）等により通信を行うためのインターフェースを備える。
【０１０５】
〈プリンタの構成〉
図４にプリンタ２００の内部構成を示す。プリンタ２００は、図４に示すように、アンテナ部２０１、無線通信制御部２０２、プリンタ部２０３、操作部２０４、有線通信部２０５、メモリ２０６、表示部２０７、制御部２０８、駆動部２０９、カメラ支持部２１０等を備えて構成される。
【０１０６】
無線通信制御部２０２は、アンテナ部２０１を介して、外部機器との無線による通信を制御する。電磁誘導方式以外で、本発明において適用可能な無線通信方式としては、例えば、赤外線を利用したＩｒＤＡ（Ｉｎｆｒａｒｅｄ  Ｄａｔａ  Ａｓｓｏｃｉａｔｉｏｎ）方式や、Ｂｌｕｅｔｏｏｔｈ方式等がある。
【０１０７】
プリンタ部２０３は、制御部２０８から入力される印刷制御信号に従って、所定の印刷方式（電子写真方式、インクジェット方式等）で、印刷用紙に印刷出力する。
【０１０８】
操作部２０４は、数字ボタンやスタートボタン、各種機能ボタン等の操作ボタンを備えており、これらのボタン操作による操作信号を制御部２０８に出力する。また、操作部２０４は、表示部２０７のＬＣＤの表示画面上を覆うように設けられたタッチパネルを備え、電磁誘導式、磁気歪式、感圧式等の座標読み取り原理でタッチ指示された座標を検出し、検出した座標を位置信号として制御部２０８に出力する。
【０１０９】
有線通信部２０５は、外部機器とケーブルを介したデータ通信を行うためのインターフェースを備える。例えば、有線通信部２０５は、ＩＥＥＥ１３９４やＵＳＢ（Ｕｎｉｖｅｒｓａｌ  Ｓｅｒｉａｌ  Ｂｕｓ）等により通信を行うためのインターフェースを備える。
【０１１０】
メモリ２０６は、制御部２０８により実行される各種制御プログラムや、当該制御プログラムの実行時に必要なデータを格納する。
【０１１１】
表示部２０７は、ＬＣＤ等の表示画面を備え、制御部２０８から入力される表示制御信号に従って、所要の表示処理を行う。
【０１１２】
制御部２０８は、メモリ２０６に格納された制御プログラムに従って、プリンタ２００の各部を統括的に制御する。以下、制御部２０８による各制御動作の詳細を説明する。
【０１１３】
制御部２０８は、カメラ支持部２１０に載置されたデジタルカメラ１００とプリンタ２００の間の電波信号の強度に基づいて、デジタルカメラ１００の向きを制御するカメラ方向制御処理（図４参照）を実行する。このカメラ方向制御処理において、制御部２０８は、プリンタ２００とデジタルカメラ１００の間の電波信号の強度を測定し、その測定された強度が予め設定された値より大きいか否かを判定し、電波強度が設定値より小さい場合は、カメラ支持部２１０を駆動させてデジタルカメラ１００の向きを制御する。
【０１１４】
駆動部２０９は、制御部２０８から入力される制御信号に従って、カメラ支持部２１０のカメラ台（後述）を回転駆動させる。
【０１１５】
カメラ支持部２１０は、デジタルカメラを所定の軸の回りに回転可能に支持するカメラ台（図示略）を備える。このカメラ台上には、デジタルカメラ本体を挟み込んで保持するためのアーム（図示略）が設けられている。
【０１１６】
なお、デジタルカメラ１００から受信する電波を強化するために、プリンタ２００に、受信電波を増幅させるブースター（プリンタ増幅部）を設けるようにしてもよい。また、デジタルカメラ１００に、発信電波を増幅させるブースター（カメラ増幅部）を設けるようにしてもよい。
【０１１７】
次に、本第１の実施の形態における動作を説明する。
図４に示すフローチャートを参照して、カメラ方向制御処理について説明する。
【０１１８】
デジタルカメラ１００がプリンタ２００に無線接続されると（ステップＳ１）、デジタルカメラ１００とプリンタ２００の間の電波信号の強度が測定される（ステップＳ２）。
【０１１９】
次いで、ステップＳ２で測定された電波強度が表示部２０７に表示される（ステップＳ３）。表示部２０７には、図５に示すように、アンテナ２０１の指向特定２０（実線）と、電波強度分布２１（破線）、デジタルカメラ１００の位置が表示される。電波強度分布２１は、図５に示すように、電波強度が等しい点を結んだ曲線として表示される。また、アンテナ２０１の指向特性２０は、プリンタ２００の前面方向に広がっている。
【０１２０】
なお、ステップＳ３における電波強度の表示は、図５に限定されず、例えば、図６に示すように、電波強度をバー表示にしてもよい。この場合、図６に示すように、電波強度（電波レベル）の大小を区分けするための基準線３０を表示するのが好ましい。また、通信状態の良否を表示してもよい。例えば、電波レベルが基準線３０より大きい場合、通信状態として「良好」と表示し、電波レベルが基準線３０より小さい場合、通信状態として「不安定」と表示する。また、電波信号の受信可能領域（例えば、「２ｍ以内」等）を更に表示するようにしてもよい。
【０１２１】
なお、デジタルカメラ１００の表示部１１０に、図６に示すような電波強度（電波レベル）を表示するようにしてもよい。また、デジタルカメラ１００の表示部１１０に、デジタルカメラ１００が有するアンテナ１０６の指向特性（後述）、電波強度分布、プリンタ２００とデジタルカメラ１００の位置関係を表示するようにしてもよい。
【０１２２】
図７に、デジタルカメラ１００が有するアンテナ１０６の指向特性を示す。アンテナ１０６の指向特性１０は、デジタルカメラ１００の背面方向に広がっている。図８（ａ）に示すように、デジタルカメラ１００の背面方向が、プリンタ２００の正面方向に向いている場合、プリンタ２００の指向特性２０とデジタルカメラ１００の指向特性１０が重なるため、通信状態は良好となる。また、図８（ｂ）に示すように、デジタルカメラ１００の背面方向が、プリンタ２００の正面方向に垂直な方向に向いている場合、プリンタ２００の指向特性とデジタルカメラ１００の指向特性がほとんど重ならないため、通信状態は不安定になる。
【０１２３】
電波強度が表示されると、ステップＳ２で測定された電波強度が、予め設定された値より大きいか否かが判定される（ステップＳ４）。ステップＳ４において、電波強度が設定値より小さいと判定された場合（ステップＳ４；ＮＯ）、カメラ支持部２１０に載置されたデジタルカメラ１００の向きが調整され（ステップＳ５）、ステップＳ２に戻り、再度、電波強度が測定される。
【０１２４】
ステップＳ４において、電波強度が設定値より大きいと判定された場合（ステップＳ４；ＹＥＳ）、デジタルカメラ１００からの画像信号の受付が開始され（ステップＳ６）、本カメラ方向制御処理が終了する。
【０１２５】
なお、図４に示したフローチャートでは、電波強度が設定値より小さい場合に、デジタルカメラ１００の方向を変えるようにしたが、設定値より大きいか否かに関係なく、デジタルカメラ１００の方向を、電波強度が可能な限り大きくなるような方向に変えるようにしてもよい。
【０１２６】
以上のように、本第１の実施の形態の画像出力システム１によれば、プリンタ２００に載置されたデジタルカメラ１００の向きを調整することによって、プリンタ２００の受信感度を向上させることが可能になり、無線通信の安定化を図ることができる。
【０１２７】
〈第２の実施の形態〉
第２の実施の形態では、プリンタのアンテナの向きを変えることにより、プリンタの受信感度を高める場合を示す。
【０１２８】
まず、第２の実施の形態における構成を説明する。
第２の実施の形態における画像出力システム２は、図９に示すように、デジタルカメラ１００とプリンタ３００から構成され、デジタルカメラ１００とプリンタ３００は、無線により接続される。デジタルカメラ１００の内部構成は、図２に示したものと同一ゆえ、その図示及び説明を省略する。
【０１２９】
図１０に、本第２の実施の形態におけるプリンタ３００の内部構成を示す。プリンタ３００を構成する各部において、第１の実施の形態において図３に示したものと同一の構成部分には同一符号を付す。
【０１３０】
プリンタ３００は、図１０に示すように、アンテナ部２０１、無線通信制御部２０２、プリンタ部２０３、操作部２０４、有線通信部２０５、メモリ２０６、表示部２０７、制御部２０８、アンテナ駆動部２１１等を備えて構成される。以下の構成説明では、第１の実施の形態と異なる部分のみを説明する。
【０１３１】
アンテナ部２０１は、アンテナ本体と、アンテナ本体を回転可能に支持するアンテナ支持部を備える。
【０１３２】
制御部２０８は、デジタルカメラ１００とプリンタ３００の間の電波信号の強度に基づいて、アンテナの向きを制御するアンテナ方向制御処理（図１１参照）を実行する。このカメラ方向制御処理において、制御部２０８は、プリンタ３００とデジタルカメラ１００の間の電波信号の強度を測定し、その測定された強度が予め設定された値より大きいか否かを判定し、電波強度が設定値より小さい場合は、アンテナ駆動部２１１を駆動させて、アンテナ部２０１のアンテナの向きを制御する。
【０１３３】
アンテナ駆動部２１１は、制御部２０８から入力される制御信号に従って、アンテナ部２０１のアンテナ支持部を回転駆動する。
【０１３４】
なお、プリンタ３００に、第１の実施の形態のようなカメラ支持部を設け、カメラ支持部にデジタルカメラ１００を載置して、第２の実施の形態における画像出力システム２を構成するようにしてもよい。
【０１３５】
次に、第２の実施の形態における動作を説明する。
図１１のフローチャートを参照して、プリンタ３００において実行されるアンテナ方向制御処理について説明する。
【０１３６】
デジタルカメラ１００がプリンタ３００に無線接続されると（ステップＳ１１）、デジタルカメラ１００とプリンタ３００の間の電波信号の強度が測定される（ステップＳ１２）。
【０１３７】
次いで、ステップＳ１２で測定された電波強度が表示部２０７に表示される（ステップＳ１３）。このとき、電波信号の受信可能領域（例えば、「２ｍ以内」等）を更に表示するようにしてもよい。また、第１の実施の形態において図５及び図６に示したように、電波強度分布を表示したり、電波強度（電波レベル）をバー表示したりするようにしてもよい。
【０１３８】
電波強度が表示されると、ステップＳ１２で測定された電波強度が、予め設定された値より大きいか否かが判定される（ステップＳ１４）。ステップＳ１４において、電波強度が設定値より小さいと判定された場合（ステップＳ１４；ＮＯ）、アンテナ部２０１のアンテナの向きが調整され（ステップＳ１５）、ステップＳ１２に戻り、再度、電波強度が測定される。
【０１３９】
ステップＳ１４において、電波強度が設定値より大きいと判定された場合（ステップＳ１４；ＹＥＳ）、デジタルカメラ１００からの画像信号の受付が開始され（ステップＳ１６）、本アンテナ方向制御処理が終了する。
【０１４０】
なお、図１１に示したフローチャートでは、電波強度が設定値より小さい場合に、プリンタ３００のアンテナの方向を変えるようにしたが、設定値より大きいか否かに関係なく、アンテナの方向を電波強度が可能な限り大きくなるような方向に変えるようにしてもよい。
【０１４１】
本第２の実施の形態によれば、プリンタ３００のアンテナの向きを調整することによって、プリンタ３００の受信感度を向上させることが可能になり、無線通信の安定化を図ることができる。
【０１４２】
〈第３の実施の形態〉
第３の実施の形態では、デジタルカメラのアンテナの向きを変えることにより、プリンタの受信感度を高める場合を示す。
【０１４３】
第３の実施の形態における画像出力システム３は、デジタルカメラ４００とプリンタ３００から構成され、デジタルカメ４００とプリンタ３００は、無線により接続される。なお、第３の実施の形態における画像出力システム３は、第２の実施の形態において図９に示した画像出力システム２のうち、デジタルカメラ１００をデジタルカメラ４００に置換したものと同一であるため、その図示を省略する。また、プリンタ３００の内部構成は、第２の実施の形態において、図１０に示したものと同一ゆえ、その図示及び説明を省略する。
【０１４４】
図１２に、第３の実施の形態におけるデジタルカメラ４００の内部構成を示す。デジタルカメラ４００を構成する各部において、第１の実施の形態において図２に示したものと同一の構成部分には同一符号を付す。
【０１４５】
デジタルカメラ４００は、図１２に示すように、レンズ１０１、ＣＣＤ１０２、Ａ／Ｄ変換器１０３、プロセッサ１０４、無線通信制御部１０５、アンテナ部１０６、外部記録媒体１０７、メモリ１０８、制御部１０９、表示部１１０、操作部１１１、電源部１１２、有線通信部１１３、音声出力部１１４、アンテナ駆動部１１５等を備えて構成される。以下の構成説明では、第１の実施の形態と異なる部分のみを説明する。
【０１４６】
アンテナ部１０６は、アンテナ本体と、アンテナ本体を回転可能に支持するアンテナ支持部を備える。
【０１４７】
制御部１０９は、デジタルカメラ４００とプリンタ３００との間の電波信号の強度に基づいて、アンテナの向きを制御するアンテナ方向制御処理（図１３参照）を実行する。このカメラ方向制御処理において、制御部１０９は、デジタルカメラ４００とプリンタ３００の間の電波信号の強度を測定し、その測定された強度が予め設定された値より大きいか否かを判定し、電波強度が設定値より小さい場合は、アンテナ駆動部１１５を駆動させて、アンテナ部１０６のアンテナの向きを制御する。また、電波強度が設定値より大きい場合、報知音を鳴音して通知させる。
【０１４８】
音声出力部１１４は、スピーカを備え、制御部１０９から入力される音声信号をアナログ信号に変換してスピーカから出力する。
【０１４９】
アンテナ駆動部１１５は、制御部１０９から入力される制御信号に従って、アンテナ部１０６のアンテナ支持部を回転駆動する。
【０１５０】
なお、プリンタ３００に、第１の実施の形態のようなカメラ支持部を設け、カメラ支持部にデジタルカメラ４００を載置して、第３の実施の形態における画像出力システム３を構成するようにしてもよい。
【０１５１】
次に、本第３の実施の形態における動作を説明する。
図１３のフローチャートを参照して、デジタルカメラ４００において実行されるアンテナ方向制御処理について説明する。
【０１５２】
デジタルカメラ４００がプリンタ３００に無線接続されると（ステップＴ１）、デジタルカメラ４００とプリンタ３００の間の電波信号の強度が測定される（ステップＴ２）。
【０１５３】
次いで、ステップＴ２で測定された電波強度が表示部１１０に表示される（ステップＴ３）。表示部１１０には、図１４に示すように、電波強度（電波レベル）がバー表示される。この場合、図１４に示すように、電波レベルの大小を区分けするための基準線３０を表示するのが好ましい。また、通信状態の良否を表示してもよい。例えば、電波レベルが基準線３０より大きい場合、通信状態として「良好」と表示し、電波レベルが基準線３０より小さい場合、通信状態として「不安定」と表示する。
【０１５４】
なお、ステップＴ３における電波強度の表示は、図１４に限定されず、図１５に示すように、デジタルカメラ４００のアンテナの指向特性１０（実線）と、電波強度１１（破線）の空間分布、プリンタ３００のアンテナの位置を表示するようにしてもよい。電波強度１１の分布は、図１５に示すように、強度が等しい点を結んだ曲線として表される。なお、図１５では、デジタルカメラ４００の指向特性１０が、図７と同様に、デジタルカメラ４００の背面方向に広がっている場合を示している。また、図示はしないが、デジタルカメラ４００本体と、そのアンテナの指向特性（電波強度）のみを模式的に表示するようにしてもよい。
【０１５５】
電波強度が表示されると、ステップＴ２で測定された電波強度が、予め設定された値より大きいか否かが判定される（ステップＴ４）。ステップＴ４において、電波強度が設定値より小さいと判定された場合（ステップＴ４；ＮＯ）、アンテナ部１０６のアンテナの向きが調整され（ステップＴ５）、ステップＴ２に戻り、再度、電波強度が測定される。
【０１５６】
ステップＴ４において、電波強度が設定値より大きいと判定された場合（ステップＴ４；ＹＥＳ）、音声出力部１１４により報知音が鳴音される（ステップＴ６）。次いで、画像信号の送信が開始され（ステップＴ７）、本アンテナ方向制御処理が終了する。
【０１５７】
なお、図１３に示したフローチャートでは、電波強度が設定値より小さい場合に、デジタルカメラ４００のアンテナの方向を変えるようにしたが、設定値より大きいか否かに関係なく、アンテナの方向を電波強度が大きくなる方向に変えるようにしてもよい。
【０１５８】
本第３の実施の形態によれば、デジタルカメラ４００のアンテナの向きを調整することによって、プリンタ３００の受信感度を向上させることが可能になり、無線通信の安定化を図ることができる。
【０１５９】
なお、上記各実施の形態における記述内容は、本発明の趣旨を逸脱しない範囲で適宜変更可能である。
【０１６０】
例えば、上記各実施の形態では、デジタルカメラに保持された画像を出力する装置がプリンタである場合を示したが、出力装置が、カラー表示が可能な表示装置（ＰＣ、周波数レシーバー、テレビジョン等）である場合においても、本発明を適用することが可能である。
【０１６１】
図１６に、画像を出力する装置が表示装置である場合の画像出力システム４の構成を示す。画像出力システム４は、デジタルカメラ１００と表示装置５００から構成され、デジタルカメラ１００と表示装置５００は、無線により接続される。デジタルカメラ１００は、カメラ台４０に載置され、カメラ台４０は、表示装置５００の制御により回転可能である。表示装置５００は、第１の実施の形態において図４に示したカメラ方向制御処理と同様の処理を実行することが可能である。すなわち、デジタルカメラ１００が載置されたカメラ台４０は、デジタルカメラ１００と表示装置５００の間の電波強度に基づいて回転される。なお、図１７に示すように、画像出力システム４を構成する表示装置５００を、プリンタ（例えば、図９のプリンタ３００）の一部に取り付けた表示装置５０１に置き換えてもよい。
【０１６２】
また、表示装置５００は、第２の実施の形態において図１１に示したアンテナ方向制御処理と同様の処理を実行することが可能である。すなわち、表示装置５００とデジタルカメラ１００の間の電波強度に基づいて、表示装置５００のアンテナの向きを変えることが可能である。
【０１６３】
更に、表示装置５００に、第３の実施の形態で用いたデジタルカメラ４００を無線接続し、デジタルカメラ４００において、図１３に示したアンテナ方向制御処理と同様の処理を実行することが可能である。すなわち、表示装置５００とデジタルカメラ４００の間の電波強度に基づいて、デジタルカメラ４００のアンテナの向きを変えることが可能である。
【０１６４】
また、上述の第１〜第３の実施の形態と同様に、デジタルカメラから受信する電波を強化するために、表示装置５００に、受信電波を増幅させるブースター（表示装置増幅部）を設けるようにしてもよい。また、表示装置５００に無線接続されたデジタルカメラに、発信電波を増幅させるブースター（カメラ増幅部）を設けるようにしてもよい。
【０１６５】
【発明の効果】
本発明によれば、デジタルカメラと出力装置（プリンタ又は表示装置）の間の無線通信の強度に基づいて、出力装置に設置されたデジタルカメラの向きを調整することにより、出力装置の受信感度を向上させることが可能になり、無線通信の安定化を図ることができる。
【０１６６】
また、デジタルカメラと出力装置（プリンタ又は表示装置）の間の無線通信の強度に基づいて、出力装置のアンテナの向きを調整することにより、出力装置の受信感度を向上させることが可能になり、無線通信の安定化を図ることができる。
【０１６７】
更に、デジタルカメラと出力装置（プリンタ又は表示装置）の間の無線通信の強度に基づいて、デジタルカメラのアンテナの向きを調整することにより、出力装置の受信感度を向上させることが可能になり、無線通信の安定化を図ることができる。
【図面の簡単な説明】
【図１】本発明を適用した第１の実施の形態の画像出力システム１の構成を示す図。
【図２】デジタルカメラ１００の内部構成を示すブロック図。
【図３】プリンタ２００の内部構成を示すブロック図。
【図４】本発明の第１の実施の形態においてプリンタ２００により実行されるカメラ方向制御処理を示すフローチャート。
【図５】プリンタ２００の表示部２０７における画面表示例を示す図。
【図６】プリンタ２００の表示部２０７における画面表示例を示す図。
【図７】デジタルカメラの指向特性を示す図。
【図８】デジタルカメラ１００の向きによる電波状態の変化を説明するための図。
【図９】本発明を適用した第２の実施の形態における画像出力システム２の構成を示す図。
【図１０】プリンタ３００の内部構成を示すブロック図。
【図１１】第２の実施の形態においてプリンタ３００により実行されるアンテナ方向制御処理を示すフローチャート。
【図１２】本発明を適用した第３の実施の形態におけるデジタルカメラ４００の内部構成を示すブロック図。
【図１３】第３の実施の形態においてデジタルカメラ４００により実行されるアンテナ方向制御処理を示すフローチャート。
【図１４】デジタルカメラ４００の表示部１１０における画面表示例を示す図。
【図１５】デジタルカメラ４００の表示部１１０における画面表示例を示す図。
【図１６】本発明を適用した画像出力システム４の構成を示す図。
【図１７】プリンタに、本発明の表示装置が取り付けられた場合の画像出力システムの構成を示す図。
【符号の説明】
１、２、４    画像出力システム
１００、４００    デジタルカメラ
１０１    レンズ
１０２    ＣＣＤ
１０３    Ａ／Ｄ変換器
１０４    プロセッサ
１０５    無線通信制御部
１０６    アンテナ部
１０７    外部記録媒体
１０８    メモリ
１０９    制御部
１１０    表示部
１１１    操作部
１１２    電源部
１１３    有線通信部
１１４    音声出力部
１１５    アンテナ駆動部
２００、３００    プリンタ
２０１    アンテナ
２０２    無線通信制御部
２０３    プリンタ部
２０４    操作部
２０５    有線通信部
２０６    メモリ
２０７    表示部
２０８    制御部
２０９    駆動部
２１０    カメラ支持部
２１１    アンテナ駆動部
５００、５０１    表示装置
【図１】
2004282189.tif 000003
【図２】
2004282189.tif 000004
【図３】
2004282189.tif 000005
【図４】
2004282189.tif 000006
【図５】
2004282189.tif 000007
【図６】
2004282189.tif 000008
【図７】
2004282189.tif 000009
【図８】
2004282189.tif 000010
【図９】
2004282189.tif 000011
【図１０】
2004282189.tif 000012
【図１１】
2004282189.tif 000013
【図１２】
2004282189.tif 000014
【図１３】
2004282189.tif 000015
【図１４】
2004282189.tif 000016
【図１５】
2004282189.tif 000017
【図１６】
2004282189.tif 000018
【図１７】
2004282189.tif 000019